(57)【要約】【課題】排出キャップの蓋面領域の分割区画に排出形態の異なる固定的なアウトプット開口を突設するとともに、開閉蓋（保護キャップ）を分割蓋とし、各別に開閉操作することにより排出量又は排出形状を変更可能とする。【解決手段】粘稠な内容物を充填する可撓性又は柔軟性容器の口部に装着される排出口を有した蓋付きキャップ装置Ｘが、排出キャップ１の蓋面領域を横断的に複数区画に分割し、それぞれの分割区画に排出形態の異なる固定的なアウトプット開口２（２ａ，２ｂ，２ｃ，２ｄ）  を突設し、各分割区画のアウトプット開口２（２ａ，２ｂ，２ｃ，２ｄ）  に対応して各別に開閉可能な分割蓋３を設けてその一端を排出キャップ１周縁に着設してなる。そして、分割蓋３を開閉操作してアウトプット開口２（２ａ，２ｂ，２ｃ，２ｄ）  を開放又は切替え、排出量又は排出形状を変更するとともに、全ての分割蓋３を閉蓋することにより排出不能な栓封状態とする。【選択図】      図５
2004292038.tif 000002
【特許請求の範囲】
【請求項１】
粘稠な内容物を充填する可撓性又は柔軟性容器の口部に装着される排出口を有した蓋付きキャップ装置において、
排出キャップの蓋面領域を横断的に複数区画に分割し、それぞれの分割区画に排出形態の異なる固定的なアウトプット開口を突設し、各分割区画のアウトプット開口に対応して各別に開閉可能な分割蓋を設けてその一端を排出キャップ周縁に着設してなり、
分割蓋を開閉操作してアウトプット開口を開放又は切替え、排出量又は排出形状を変更するとともに、全ての分割蓋を閉蓋することにより排出不能な栓封状態とすることを特徴とする排出切替式蓋付きキャップ装置。
【請求項２】
アウトプット開口が内容物の排出流路断面を絞るように突設方向にテーパ形成されたものであり、
排出キャップ基端の内壁に容器の口部に嵌合又は螺合する取着手段を設けたものである請求項１記載の排出切替式蓋付きキャップ装置。
【請求項３】
アウトプット開口が、円形、楕円形、角形、星形、花びら形、及び連続的ないしは断続的な線状形の端面形状群から選ばれた一又は複数の点孔、点列孔又はスリットである請求項１又は２記載の排出切替式蓋付きキャップ装置。
【請求項４】
分割蓋の外平面に各アウトプット開口に対応するそれぞれの排出形態を示す標示又は標識を設けた請求項１乃至３のいずれか１項記載の排出切替式蓋付きキャップ装置。
【請求項５】
隣接する分割蓋の着設端を交互反対側に設けた請求項４記載の排出切替式蓋付きキャップ装置。
【発明の詳細な説明】
【０００１】
【発明の属する技術分野】
本発明は、マヨネーズ、ケチャップ、お好み焼きソース、とんかつソース、蜂蜜、練りからし、練りわさび、ソフトマーガリンその他の粘稠な内容物を充填する可撓性又は柔軟性容器の口部に装着される排出口を有した蓋付きキャップ装置に係り、詳しくは、排出キャップの蓋面領域を分割区画して排出形態の異なる固定的なアウトプット開口を突設し、各分割区画のアウトプット開口に対応して各別に開閉可能な分割蓋を設けてその一端をキャップ周縁に着設し、分割蓋を開閉操作することにより排出量又は排出形状を変更可能とした排出切替式蓋付きキャップ装置に関する。
【０００２】
ここで、アウトプット開口は、内容物の排出流路の開放端として形設された排出口を言うものとする。また、排出量又は排出形状は、排出形態と互換的に使用する。なお、開閉蓋は、当然に衛生保護キャップ（カバーキャップ）としても機能する。
【０００３】
【従来の技術】
従来より、マヨネーズ等の粘稠な内容物を充填した可撓性又は柔軟性容器の蓋（キャップ装置）は、卑近なところでは、蓋面に排出口（アウトプット開口）を形設した内キャップを有し、蓋面保護のために外キャップ（衛生保護キャップ）を被冠したものがある。
【０００４】
ここで、排出口は固定的な円形又は星形が一般的であり、当然のことながら圧排される内容物の排出形状も定形に近い。
【０００５】
こうしたなかで、お好み焼きやサラダやとんかつなどにマヨネーズやソースをかけようとするとき、平板状や糸状にかけるといった排出形態が望まれることがあるが、こうした場合には刷毛で塗るとか、やや高所から振りかける（注ぐ）といった操作により間に合わせてきた。
【０００６】
ところで、内容物の排出形状を変更するという点では、中蓋の蓋面に複数の排出口を形設し、チューブ容器の口部に回動自在に遊嵌し、排出形状を切替え可能とする絞り出し容器の提案があった。（例えば、特許文献１を参照。）
【０００７】
【特許文献１】
実公昭４４−９１９２号公報（全頁、全図）
【０００８】
しかしながら、上記特許文献１ではチューブ容器の口部に絞り出し孔を偏心した個所に設けて、その周円上に中蓋の絞り出し孔を複数個設けて回動自在に遊嵌し、排出形状を選択する構成としているので、その排出機構はチューブ容器の構成とともにある。したがって、市販のマヨネーズ等の容器の排出キャップとしては既設蓋に付け替えることはできない。しかも、絞り出し孔は、いずれも点孔であって、蓋面にスリットを形設することはできず、排出量や排出形状に関し自由度が小さい。
【０００９】
こうしたなかで、本発明者は、キャップ構造を内外二重構造として、内栓キャップをそのまま市販のマヨネーズ等の容器の既設蓋に代替して付け替え可能で、内外キャップを回動操作することにより、協働的にアウトプット開口を切替え可能で内容物の排出形態を平板状や多糸状にも変更可能とした排出切替式キャップ装置を提案してきた。（先願キャップという、例えば、特許文献２を参照。）
【００１０】
【特許文献２】
実用新案登録第３０８４８０８号公報（全頁、全図）
【００１１】
【発明が解決しようとする課題】
しかしながら、先願キャップの内外二重構造は、ややコスト面で難があり、排出形態の変更に関し同様の作用効果を得るために固定的なアウトプット開口によることが要請された。
【００１２】
本発明はこのような事情に鑑みなされたものであって、開閉蓋（保護キャップ）を分割蓋とすることにより上記課題を解消し、分割蓋を各別に開閉操作することにより排出量又は排出形状を変更可能とした排出切替式蓋付きキャップ装置を提供するものである。
【００１３】
また、マヨネーズ等の容器の既設蓋に代替して付け替え容易で多目的の排出形態を選択できる厨房用付属品としての物品性を有した排出切替式蓋付きキャップ装置を提案するものである。
【００１４】
【課題を解決するための手段】
本発明は、粘稠な内容物を充填する可撓性又は柔軟性容器の口部に装着される排出口を有した排出切替式蓋付きキャップ装置の改善であって、              排出キャップの蓋面領域を横断的に複数区画に分割し、それぞれの分割区画に排出形態の異なる固定的なアウトプット開口を突設し、各分割区画のアウトプット開口に対応して各別に開閉可能な分割蓋を設けてその一端を排出キャップ周縁に着設してなり、分割蓋を開閉操作してアウトプット開口を開放又は切替え、排出量又は排出形状を変更するとともに、全ての分割蓋を閉蓋することにより排出不能な栓封状態とすることを特徴とするものである。
【００１５】
【発明の実施の形態】
本発明の実施の形態を添付図面を参照しながら以下説明する。
【００１６】
図１は排出キャップの外観説明図である。
【００１７】
図２は排出キャップの図１のＡＡ断面視説明図である。
【００１８】
図３はキャップ装置の栓封状態を示す外観説明図である。
【００１９】
図４は分割蓋を全開状態においた平面視説明図である。
【００２０】
図５は分割蓋の開閉状態を示す外観説明図である。
【００２１】
図示するように、実施形態キャップ装置は、粘稠な内容物を充填した可撓性又は柔軟性容器の口部に装着される排出口を有した排出切替式蓋付きキャップ装置Ｘであって、排出キャップ１の蓋面領域を横断的に複数区画に分割し、それぞれの分割区画に排出形態の異なる固定的なアウトプット開口２（２ａ，２ｂ，２ｃ，２ｄ）  を突設している。
【００２２】
アウトプット開口２（２ａ，２ｂ，２ｃ，２ｄ）  は内容物の排出流路Ｆ断面を絞るように突設方向にテーパ形成している。ここで、アウトプット開口２（２ａ，２ｂ，２ｃ，２ｄ）  は、円形、楕円形、角形、星形、花びら形、及び連続的ないしは断続的な線状形の端面形状群から選ばれた一又は複数の点孔、点列孔又はスリットである。
【００２３】
図示の場合、端面形状が星形（２ａ）の点孔（単孔）では断面星形単糸状、円形（２ｂ）の点列孔では断面円形多糸状、線状形（２ｃ）のスリットでは平板状、及び円形（２ｄ）の点孔（単孔）では断面円形単糸状の各排出形態を得ることができる。
【００２４】
また、排出キャップ１基端の内壁に容器の口部に嵌合又は螺合する取着手段１１を設けている。
【００２５】
分割蓋３は、各分割区画のアウトプット開口２（２ａ，２ｂ，２ｃ，２ｄ）  に対応して各別に開閉可能に排出キャップ１周縁にその一端を着設し、隣接する分割蓋３の着設端は交互反対側に設けている。開閉操作上の要請である。
【００２６】
また、分割蓋３の外平面には、各アウトプット開口２（２ａ，２ｂ，２ｃ，２ｄ）  に対応するそれぞれの排出形態を示す標示又は標識を設けてもよい。〔図示省略〕
【００２７】
そして、分割蓋３を開閉操作してアウトプット開口２（２ａ，２ｂ，２ｃ，２ｄ）  を開放又は切替え、排出量又は排出形状を変更するとともに、全ての分割蓋を閉蓋することにより排出不能な栓封状態とするものである。
【００２８】
【発明の効果】
本発明は以上の構成よりなるものであり、これによれば分割蓋を各別に開閉操作することにより、排出キャップに設けたアウトプット開口を切替え可能で内容物の排出形態を変更可能であり、使用目的に応じて所望の排出形態を選択できるという利便性を有する。
【００２９】
また、マヨネーズ等の容器の既設蓋に代替して付け替え容易であり、しかも洗浄により衛生的に反復使用できるので、厨房用付属品又は備品として有用である。
【図面の簡単な説明】
【図１】排出キャップの外観説明図である。
【図２】排出キャップの図１のＡＡ断面視説明図である。
【図３】キャップ装置の栓封状態を示す外観説明図である。
【図４】分割蓋を全開状態においた平面視説明図である。
【図５】分割蓋の開閉状態を示す外観説明図である。
【符号に説明】
１  排出キャップ
１１  取着手段
２  アウトプット開口
２ａ  星形点孔（断面星形単糸状の排出形態）
２ｂ  円形点列孔（断面円形多糸状の排出形態）
２ｃ  線状形スリット（平板状の排出形態）
２ｄ  円形点孔（断面円形単糸状の排出形態）
３  分割蓋
Ｆ  排出流路
Ｘ  排出切替式キャップ装置
【図１】
2004292038.tif 000003
【図２】
2004292038.tif 000004
【図３】
2004292038.tif 000005
【図４】
2004292038.tif 000006
【図５】
2004292038.tif 000007